(57)【要約】ベルトクリーニング装置（４）は、ブラシローラ（４１）を有する。ローラ（４１）の毛（４１２）の一部は無端ベルト（２３）に接触する。毛（４１２）の一部は桶（４２）内の清掃液に浸漬される。ローラ（４１）はベルト（２３）の移動方向と逆方向に回転されるので、液は毛（４１２）で掻き上げられ、ベルト（２３）を洗浄する。ローラ（４１）は、多数の穴（４１１ｂ）を有するブラシ軸（４１１）を有する。穴（４１１ｂ）は軸方向に３−４ｍｍのピッチで、円周方向に３−７度のピッチで千鳥状に形成される。穴（４１１ｂ）に植毛される毛（４１２）は、０．０５−０．２０ｍｍの直径及び１５−２０ｍｍの自由長を有する。ローラ（４１）が回転されるとき、毛（４１２）先端の線速は１２０．８−２０１．３ｍｍ／ｓである。本装置（４）は、ベルト（２３）表面に付着したインクを残らず取り除く。
2012073906.tif 000002
【特許請求の範囲】
【請求項１】
被搬送物を載置して搬送する無端ベルトに接触して、前記無端ベルト表面に付着した異物を洗浄するためのブラシ毛を、ブラシ軸の外周面に植毛してなるブラシローラと、
前記ブラシローラを回転させる駆動部と、
前記ブラシローラの前記ブラシ毛先端の線速及び回転方向を所定の回転条件とするように前記駆動部を制御する制御部と、
前記ブラシ毛の一部が含浸される清掃液が貯留される清掃桶とを有し、
前記ブラシローラの回転により、前記ブラシ毛が前記清掃液を掻き上げて、前記無端ベルト表面を清掃液によって洗浄するように構成されたベルトクリーニング装置において、
前記ブラシローラは、前記ブラシ軸の外周面に軸方向のピッチが３ｍｍ以上４ｍｍ以下の範囲且つ円周方向のピッチが３度以上７度以下の範囲で千鳥状に多数形成された各々の植毛用穴に、線径が０．０５ｍｍ以上０．２０ｍｍ以下の範囲の前記ブラシ毛を、自由長が１５ｍｍ以上２０ｍｍ以下の範囲となるように植毛してなり、
前記制御部は、前記ブラシローラを前記ブラシ毛先端の線速が１２０．８ｍｍ／ｓ以上２０１．３ｍｍ／ｓ以下の範囲で前記無端ベルトの移動方向に対して逆方向に回転させるように前記駆動部を制御することを特徴とするベルトクリーニング装置。
【請求項２】
前記ブラシ軸は、樹脂からなるブラシ植毛部を有することを特徴とする請求項１記載のベルトクリーニング装置。
【請求項３】
被搬送物を上面に載置して搬送する無端ベルトと、
前記無端ベルト表面のクリーニングを行うための請求項１又は２記載のベルトクリーニング装置を備えることを特徴とするベルト搬送装置。
【請求項４】
前記被搬送物として記録媒体を上面に載置して搬送する無端ベルトと、
前記無端ベルトに載置された前記記録媒体上に画像データに基づいてインクを吐出して記録を行う記録手段と、
前記無端ベルト表面のクリーニングを行うための請求項１又は２記載のベルトクリーニング装置を備えることを特徴とする画像記録装置。
【発明の詳細な説明】
【技術分野】
【０００１】
本発明は、ベルトクリーニング装置、ベルト搬送装置及び画像記録装置に関し、詳しくは、ブラシローラによるベルトのクリーニング性に優れるベルトクリーニング装置、ベルト搬送装置及び画像記録装置に関する。
【背景技術】
【０００２】
近年、紙、布帛等の種々の記録媒体に対して高精細な画像を記録する装置として、インクジェット方式による画像記録装置が広く普及している。特に、記録媒体が長尺ウェブ状である場合には、無端ベルトを有するベルト搬送装置を使用し、記録媒体を無端ベルト上に密着させて搬送することが行われている。【０００３】
その際、記録媒体のミスフィードやいわゆる縁なし印刷、インクの裏抜け等のために、記録ヘッドから吐出されたインクが無端ベルトに付着する場合があり、無端ベルトに付着したインクが無端ベルト上に新たに供給されてきた記録媒体に転移して記録媒体を汚してしまう等のトラブルが生じる。【０００４】
また、記録媒体は、その種類によって紙粉や糸くず、前処理剤等の汚染物質を発生する場合があり、これらが無端ベルト上のインクと混合して異物として付着してしまう場合がある。【０００５】
無端ベルトに付着した異物を放置した場合、これが新たに供給される記録媒体の裏面に付着して製品品質を低下させたり、無端ベルトと記録媒体との間の摩擦に影響を与えて記録媒体の搬送を不安定化させたりする問題が生じる。【０００６】
そのため、通常、このようなベルト搬送装置又は画像記録装置には、無端ベルトの表面に付着した異物をクリーニングするためのベルトクリーニング装置が設けられている。【０００７】
従来、無端ベルトの表面をクリーニングする技術として、無端ベルトの表面に当接して摺擦するブラシローラが知られている（特許文献１）。
【先行技術文献】
【特許文献】
【０００８】
【特許文献１】特開２００８−４４１０８号公報
【発明の概要】
【発明が解決しようとする課題】
【０００９】
特許文献１に記載の技術においては、ブラシローラの下方に洗浄水が貯留された水受け部が配設され、ブラシ毛の一部が洗浄水に浸漬されている。このため、ブラシローラが回転すると、ブラシ毛によって洗浄水が水受け部から掻き上げられ、無端ベルトの表面を洗浄水によって洗浄するようになっている。【００１０】
このような技術において、ブラシローラとしては、通常、金属製のブラシ軸の外周面に、スパイラル状にブラシ毛を植毛したものが用いられている。【００１１】
しかし、このようなブラシローラでは、掻き上げ時に洗浄水の抜けが多く、無端ベルトの表面に充分な洗浄水を付着させることが困難であった。また、無端ベルトの表面に対してブラシが非接触となる部位が発生し易かった。その結果、ブラシローラによる無端ベルトのクリーニング性が充分に得られず、インク等の異物が無端ベルト表面に筋状に残留する問題を生じた。【００１２】
また、ブラシローラによる無端ベルト表面のクリーニングには、ブラシローラ回転時におけるブラシ毛先端の線速も大きく影響することがわかった。【００１３】
そこで、本発明の課題は、ブラシローラが無端ベルトの表面に多量の清掃液を付着させると共に、無端ベルトの表面に対するブラシ非接触部の形成を防止することができるようにすることにより、ブラシローラによる無端ベルトのクリーニング性に優れるベルトクリーニング装置、ベルト搬送装置及び画像記録装置を提供することにある。【００１４】
また本発明の他の課題は、以下の記載によって明らかとなる。
【課題を解決するための手段】
【００１５】
上記課題は、以下の各発明によって解決される。【００１６】
１．被搬送物を載置して搬送する無端ベルトに接触して、前記無端ベルト表面に付着した異物を洗浄するためのブラシ毛を、ブラシ軸の外周面に植毛してなるブラシローラと、前記ブラシローラを回転させる駆動部と、前記ブラシローラの前記ブラシ毛先端の線速及び回転方向を所定の回転条件とするように前記駆動部を制御する制御部と、前記ブラシ毛の一部が含浸される清掃液が貯留される清掃桶とを有し、前記ブラシローラの回転により、前記ブラシ毛が前記清掃液を掻き上げて、前記無端ベルト表面を清掃液によって洗浄するように構成されたベルトクリーニング装置において、前記ブラシローラは、前記ブラシ軸の外周面に軸方向のピッチが３ｍｍ以上４ｍｍ以下の範囲且つ円周方向のピッチが３度以上７度以下の範囲で千鳥状に多数形成された各々の植毛用穴に、線径が０．０５ｍｍ以上０．２０ｍｍ以下の範囲の前記ブラシ毛を、自由長が１５ｍｍ以上２０ｍｍ以下の範囲となるように植毛してなり、前記制御部は、前記ブラシローラを前記ブラシ毛先端の線速が１２０．８ｍｍ／ｓ以上２０１．３ｍｍ／ｓ以下の範囲で前記無端ベルトの移動方向に対して逆方向に回転させるように前記駆動部を制御することを特徴とするベルトクリーニング装置。【００１７】
２．前記ブラシ軸は、樹脂からなるブラシ植毛部を有することを特徴とする上記１．記載のベルトクリーニング装置。【００１８】
３．被搬送物を上面に載置して搬送する無端ベルトと、前記無端ベルト表面のクリーニングを行うための上記１．又は２．記載のベルトクリーニング装置を備えることを特徴とするベルト搬送装置。【００１９】
４．前記被搬送物として記録媒体を上面に載置して搬送する無端ベルトと、前記無端ベルトに載置された前記記録媒体上に画像データに基づいてインクを吐出して記録を行う記録手段と、前記無端ベルト表面のクリーニングを行うための上記１．又は２．記載のベルトクリーニング装置を備えることを特徴とする画像記録装置。
【発明の効果】
【００２０】
本発明によれば、ブラシローラが無端ベルトの表面に多量の清掃液を付着させることができると共に、無端ベルトの表面に対するブラシ非接触部の形成を防止することができ、ブラシローラによる無端ベルトのクリーニング性に優れるベルトクリーニング装置、ベルト搬送装置及び画像記録装置を提供することができる。
【図面の簡単な説明】
【００２１】
【図１】本発明に係る画像記録装置の一例を示す概略構成図
【図２】植毛用穴の配列パターンを示す図
【図３】ブラシ毛の先端形状を説明する図
【発明を実施するための形態】
【００２２】
以下、図面を参照して本発明を実施するための形態を説明する。
【００２３】
図１は、本発明に係る画像記録装置の一例を示す概略構成図であり、図中、１は画像記録装置であり、この画像記録装置１は、ベルト搬送装置２、記録ヘッド３、ベルトクリーニング装置４を備えている。
【００２４】
ベルト搬送装置２は、所定の間隔をおいて平行に配置された複数（図示の例では２つ）のローラ２１、２２に亘って所定幅の無端ベルト２３が張架されている。これらローラ２１、２２間に架け渡された無端ベルト２３の上面は、被搬送物である記録媒体Ｐを密着させて載置する載置面とされている。
【００２５】
一方のローラ２１は図示しない副走査モータからの駆動力を伝達可能に接続された駆動ローラ、他方のローラ２２は従動ローラであり、駆動ローラ２１が副走査モータの回転駆動によって、図１において反時計回りに所定の速度で回転することにより、従動ローラ２２との間に架け渡された無端ベルト２３を回転移動させ、その上面に載置される記録媒体Ｐを副走査方向である図中のＡ方向に向けて搬送するようになっている。
【００２６】
記録媒体Ｐには、例えば、紙、布帛、プラスチックフィルム、ガラス板等、インクジェット記録に通常使用される記録媒体を使用することができる。記録媒体Ｐは所定サイズに裁断されたシート状であってもよいし、ロール状に巻回された元巻きから連続して繰り出される長尺状であってもよい。特に、布帛は、インクが裏抜けし易いため、無端ベルト２３の表面にインクが付着するおそれが高く、後述するベルトクリーニング装置４を備えることによって特に顕著な効果が得られるために好ましい。
【００２７】
記録ヘッド３は、無端ベルト２３上の記録媒体Ｐが載置される面の上方に所定の間隔をおいて配設されており、その下面に設けられた多数のノズルからインク滴を吐出することにより、記録媒体Ｐ上に所望の画像を記録するインクジェットヘッドである。この記録ヘッド３は、図示しないキャリッジに搭載されて、画像記録時に記録媒体Ｐの搬送方向と直交する主走査方向に往復移動するシャトル型の記録ヘッドであってもよいし、無端ベルト２３の幅方向に亘って固定状に架け渡され、連続的に搬送される記録媒体Ｐ上にインク滴を吐出することによって画像を記録するライン型の記録ヘッドであってもよい。
【００２８】
ベルトクリーニング装置４は、本発明において駆動ローラ２１の近傍に配置されており、無端ベルト２３の搬送方向に沿って順に配設される散水パイプ４０、ブラシローラ４１を有している。
【００２９】
このうち散水パイプ４０は、その下方に配置される清掃桶４２に貯留された清掃液を供給ポンプ４３の駆動によって無端ベルト２３の表面に向けて噴射することにより、該無端ベルト２３の表面に付着した異物を洗浄する。
【００３０】
ブラシローラ４１は、無端ベルト２３の全幅に亘って架け渡された円柱状のブラシ軸４１１の外周面に全周に亘ってブラシ毛４１２が植毛されてローラ状に形成されている。ブラシ毛４１２の先端は、散水パイプ４０による散水位置よりも無端ベルト２３の回転移動方向の下流側において無端ベルト２３の表面に常時接触状態にあり、ブラシ軸４１１が駆動部としての駆動モータ４１３によって回転することにより、該無端ベルト２３の表面を摺擦して洗浄する。
【００３１】
ブラシローラ４１の下部において、ブラシ毛４１２は清掃桶４２内の清掃液に一部浸漬しており、回転時に清掃液を掻き上げて無端ベルト２３の表面に付着させることにより、異物の除去効果を高めている。
【００３２】
図中４００は、ベルトクリーニング装置４が備える制御部である。制御部４００は、ブラシローラ４１のブラシ毛４１２先端の線速及び回転方向を所定の回転条件とするように駆動モータ４１３を制御している。
【００３３】
図２は、ブラシ毛４１２の配列パターンを説明するためのブラシ軸４１１の概略斜視図である。
【００３４】
図２において、４１１ａはブラシ軸４１１の外周面であり、４１１ｂは外周面４１１ａに形成されたブラシ毛４１２の植毛用穴である。
【００３５】
本発明において、植毛用穴４１１ｂは、ブラシ軸４１１の軸方向及び円周方向に沿って千鳥状に形成されている。
【００３６】
すなわち、植毛用穴４１１ｂは、ブラシ軸４１１の軸方向に沿って所定のピッチで配列された軸方向列（２次植毛用穴列４１１ｂ’’）が、ブラシ軸４１１の円周方向に沿って所定のピッチで配列されているが、隣接する軸方向列同士は、互いにブラシ軸４１１の軸方向に半ピッチずれている。このため、各植毛用穴４１１ｂは、ブラシ軸４１１の円周方向に沿って所定のピッチで配列された円周方向列（１次植毛用穴列４１１ｂ’）が、ブラシ軸４１１の軸方向に沿って所定のピッチで配列され、隣接する円周方向列同士は、互いにブラシ軸４１１の軸方向に半ピッチずれている。
【００３７】
本発明において、この植毛用穴４１１ｂの軸方向のピッチは３ｍｍ以上４ｍｍ以下の範囲、円周方向のピッチは３度以上７度以下の範囲とされる。
【００３８】
なお、本明細書において、上記軸方向のピッチとは、円周方向に沿って整列された植毛用穴４１１ｂからなる１次植毛用穴列４１１ｂ’同士が互いに隣接する間隔をいう。本発明の場合、ブラシの植毛用穴の軸方向ピッチが３ｍｍ以上４ｍｍ以下であり、当該範囲外の軸方向ピッチのものと比べて植毛されるブラシによる清掃液の掻き上げ力を十分に発揮する事ができる。
【００３９】
また、本明細書において、上記周方向のピッチとは、軸方向に沿って整列された植毛用穴４１１ｂからなる２次植毛用穴列４１１ｂ’’同士が互いに隣接する間隔をいい、ブラシ軸４１１の軸中心Ｏを基準とする角度で示される。本発明の場合、ブラシの植毛用穴の円周方向のピッチが３度以上７度以下の範囲で形成されており、これにより上記軸方向のピッチと相俟って、当該範囲外の円周方向ピッチで形成されたブラシローラに比べて植毛されるブラシによる清掃液の掻き上げ力を十分に発揮する事ができる
【００４０】
本発明において、ブラシ軸４１１の外周面４１１ａに形成された各々の植毛用穴４１１ｂには、線径が０．０５ｍｍ以上０．２０ｍｍ以下の範囲のブラシ毛４１２が多数本束ねられて植毛される。
【００４１】
本発明において、ブラシ毛４１２は、自由長が１５ｍｍ以上２０ｍｍ以下の範囲となるように植毛用穴４１１ｂに植毛される。なお、本明細書において、ブラシ毛４１２の自由長とは、植毛用穴４１１ｂに植毛された状態のブラシ毛４１２におけるブラシ軸４１１の外周面４１１ａから突出している部分の長さをいう。
【００４２】
ブラシローラ４１がこれらの条件を満たすことにより、円周方向及び軸方向に隣接する植毛用穴４１１ｂにそれぞれ植毛されたブラシ毛４１２の束の内部に清掃液が毛管現象によって蓄えられる以外に、隣接する植毛用穴４１１ｂにそれぞれ植毛されたブラシ毛４１２の束間にも清掃液を蓄えるための液溜まり部４１０が好適に形成されるようになる。
【００４３】
さらに、本発明において、制御部４００は、ブラシローラ４１を、ブラシ毛４１２先端の線速が１２０．８ｍｍ／ｓ以上２０１．３ｍｍ／ｓ以下の範囲で、無端ベルト２３の回転移動方向に対して逆方向に回転（図１中反時計回り）させるように駆動モータ４１３を制御する。例えば、ブラシローラ４１の径（ブラシ毛４１２先端までの径とする）が１００ｍｍ、ブラシローラ４１の駆動モータ４１３に対する減速比が１／２６であるとした場合、ブラシ毛４１２先端の線速を１２０．８ｍｍ／ｓとするためには、駆動モータ４１３の回転速度を、１２０．８［ｍｍ／ｓ］×６０［ｓ／ｍ］×２６／（１００［ｍｍ］×３．１４）＝６００［ｒｐｍ］に制御すればよい。
【００４４】
本発明においては、ブラシローラ４１を上記の条件で回転することにより、清掃桶４２内の清掃液は、各ブラシ毛４１２の束内に蓄えられるのに加えて、上述した液溜まり部４１０に蓄えられ、ブラシローラ４１が、ブラシ毛４１２先端の線速が所定範囲となるように回転することによって無端ベルト２３の表面において好適に放出されるようになる。この結果、無端ベルト２３の表面に多量の清掃液を付着させることが可能となる。
【００４５】
いずれかが上記範囲から外れると、ブラシ毛４１２内に清掃液を蓄える効果が低減し、清掃液を効率良く掻き上げて無端ベルト２３の表面に付着させることが難しくなる。また、ブラシ毛４１２先端の線速が低すぎると、蓄えられた清掃液を無端ベルト２３の表面に付着させる勢いが劣り、また、高すぎると、ブラシ毛４１２が無端ベルト２３の表面に接触する前に清掃液がブラシ毛４１２から放出されてしまい、いずれも清掃効率が低下する。
【００４６】
清掃液の放出には遠心力も作用する。遠心力を最適化して無端ベルト２３の表面に付着する清掃液を更に増加させる上で、ブラシ軸の径は５０ｍｍ以上７０ｍｍ以下の範囲とすることが好ましい。
【００４７】
また、本発明において、ブラシローラ４１が回転すると、円周方向に多数並設された２次植毛用穴列４１１ｂ’’が順次無端ベルト２３に接触していく。このとき、配列パターンが千鳥状であるが故に、隣接する２次植毛用穴列４１１ｂ’’間において、植毛用穴４１１ｂは軸方向のピッチ分だけずれて設けられているため、接触を互いに補い合うことができる。これにより、無端ベルト２３の表面に対するブラシ非接触部の形成を防止することが可能となる。
【００４８】
以上に説明した通り、本発明のベルトクリーニング装置４によれば、ブラシローラ４１が無端ベルト２３の表面に多量の清掃液を付着させると共に、無端ベルト２３の表面に対するブラシ非接触部の形成を防止することが可能となるため、ブラシローラ４１による無端ベルト２３のクリーニング性が飛躍的に向上する効果を奏する。
【００４９】
本発明において、植毛用穴４１１ｂの穴径は、３ｍｍ以上４ｍｍ以下の範囲であることが好ましい。これにより、液溜まり部４１０による清掃液の掻き上げ量が更に増加すると共に、無端ベルト２３の表面に対するブラシ非接触部の形成を更に防止することが可能となるため、ブラシローラ４１による無端ベルト２３のクリーニング性が更に向上する。
【００５０】
また、１つの植毛用穴４１１ｂに植毛されるブラシ毛４１２の本数は、通常、植毛用穴４１１ｂに略最密状態で充填されるように選択され、植毛用穴４１１ｂの穴径が３ｍｍ以上４ｍｍ以下の範囲であれば、２００本以上８００本以下の範囲であることが好ましく、４００本以上６００本以下の範囲であることがより好ましい。
【００５１】
植毛用穴４１１ｂへのブラシ毛４１２の植毛方法は、格別限定されず、例えば、接着剤等の固定手段により好ましく植毛することができる。
【００５２】
ブラシ毛４１２の材質は、格別限定されず、天然毛、人工毛を問わず使用できるが、インク等の除去性能に優れる点でナイロンやポリプロピレン等の樹脂が好適である。
【００５３】
本発明において、ブラシ毛４１２の断面形状は、格別限定されるものではなく、例えば円形状、楕円形状、又は、三角形状、四角形状等の多角形状のものを好ましく例示できる。
【００５４】
ブラシ毛４１２の断面形状が円形状又は楕円形状の場合は、無端ベルト２３の表面にブラシ毛４１２が接触した際において清掃液の放出性に優れる。この結果、無端ベルト２３への清掃液の付着量を増加できる効果を奏する。
【００５５】
一方、ブラシ毛４１２の断面形状が三角形状、四角形状等の多角形状の場合は、ブラシ毛４１２の側面に平面部が形成される。平面部に対して清掃液は好適に表面張力を発現できるようになるため、掻き上げ時において清掃液の保持性に優れる。この結果、無端ベルト２３への清掃液の付着量を増加できる効果を奏する。
【００５６】
断面形状が円形状、楕円形状、又は、三角形状、四角形状等の多角形状のブラシ毛４１２から選ばれる数種を組み合わせて用いることも好ましいことである。
【００５７】
本発明において、ブラシ毛４１２の先端形状は、格別限定されるものではなく、例えば図３に示すように、先端が尖っているもの（図３（ａ））や、先端がブラシ毛４１２の線径よりも大径に形成されたもの（（図３（ｂ））を好ましく例示できる。図３（ｂ）の例では、先端をブラシ毛４１２の線径よりも大径の球状に形成した例を示したが、必ずしも球状に限定されるものではない。
【００５８】
ブラシ毛４１２の先端が尖っているものである場合は、無端ベルト２３の表面にブラシ毛４１２が接触した際において清掃液の放出性に優れる。この結果、無端ベルト２３への清掃液の付着量を増加できる効果を奏する。
【００５９】
一方、ブラシ毛４１２の先端がブラシ毛４１２の線径よりも大径に形成されたものである場合は、ブラシ毛４１２間に清掃液を蓄えやすくなるため、掻き上げ時において清掃液の保持性に優れる。この結果、無端ベルト２３への清掃液の付着量を増加できる効果を奏する。
【００６０】
先端が尖ったブラシ毛４１２、又は、先端がブラシ毛４１２の線径よりも大径に形成されたブラシ毛４１２から選ばれる数種を組み合わせて用いることも好ましいことである。
【００６１】
本発明において、ブラシ毛４１２の更に好ましい態様としては、植毛される各々のブラシ毛４１２が、清掃液の放出性に優れる断面形状（例えば円形状又は楕円形状）と清掃液の保持性に優れる先端形状（例えば先端がブラシ毛４１２の線径よりも大径に形成されたもの）とを併せ持つか、あるいは、清掃液の保持性に優れる断面形状（三角形状、四角形状等の多角形状）と清掃液の放出性に優れる先端形状（先端が尖っているもの）とを併せ持つことである。これにより、ブラシローラ４１が無端ベルト２３の表面に更に多くの清掃液を付着させることが可能となるため、ブラシローラによる無端ベルトのクリーニング性が更に向上する効果を奏する。
【００６２】
ブラシ軸４１１の材質は、格別限定されるものではないが、従来のように金属を用いた場合はブラシ軸４１１の中央部が自重によりたわみを生じて無端ベルト２３との接触が不安定化し易いため、本発明においては、ブラシ軸を軽量な材質で形成することが好ましい。特にナイロンやポリプロピレン等の樹脂が軽量且つ強度に優れるため好適である。従って、少なくともブラシ毛が植毛される様、植毛用穴が形成されたブラシ軸の外周面のブラシ植毛部はこのような樹脂で形成されている事が好ましい。      
【００６３】
本発明において、無端ベルト２３の表面に対するブラシローラ４１のニップ量（押し込み量）は１．５ｍｍ以上２．５ｍｍ以下の範囲で、無端ベルト２３の幅方向に亘って均一とすることが好ましい。これにより、クリーニング性が更に向上する効果を奏する。特に、上述したようにブラシ軸４１１の材質をナイロンやポリプロピレン等の樹脂から形成した場合は、ニップ量を無端ベルト２３の幅方向に亘って長期にわたって均一に保持することが可能となる。
【実施例】
【００６４】
以下に、本発明の実施例を説明するが、本発明はかかる実施例によって限定されない。【００６５】
（実施例１）
＜ブラシローラ＞
ポリプロピレンからなるロール状の樹脂に、穴径が３ｍｍの植毛用穴を、軸方向のピッチ４ｍｍ、円周方向のピッチ５度の千鳥状の配列パターンとなるように設けた。【００６６】
各々の植毛用穴に、線径０．０５ｍｍのナイロン製のブラシ毛を、１つの植毛用穴あたり８００本、自由長が１５ｍｍとなるように植毛し、ブラシローラを得た。【００６７】
＜洗浄方法＞
得られたブラシローラを備えた図１に示したものと同様の画像記録装置を用いて捺染印刷を行うと共に、下方を清掃液に着水した状態のブラシローラにより、無端ベルト表面に付着したインクの洗浄を行った。【００６８】
ブラシローラの回転方向は逆転とし、ブラシ毛先端の線速が１２０．８ｍｍ／ｓとなるように制御した。ブラシローラの無端ベルト表面に対するニップ量は２ｍｍとした。【００６９】
＜評価方法＞
ブラシローラ通過後における無端ベルト表面のインク滴の有無を観察し、クリーニング性を以下の基準で評価した。結果を表１に示す。
◎：インク滴の残りがない。
△：インク滴が少し残る。
×：インク滴が多く残る。  【００７０】
（実施例２）
実施例１において、植毛用穴の穴径を４ｍｍとし、ブラシ毛の線径を０．１０ｍｍとし、１つの植毛用穴あたり４００本植毛したこと以外は、実施例１と同様にして、ブラシローラを得た。【００７１】
洗浄方法は実施例１と同様とし、実施例１と同様の評価を行った。結果を表１に示す。【００７２】
（実施例３）
実施例１において、植毛用穴の穴径を４ｍｍとし、ブラシ毛の線径を０．２０ｍｍとし、１つの植毛用穴あたり２００本植毛したこと以外は、実施例１と同様にして、ブラシローラを得た。【００７３】
洗浄方法は、実施例１において、ブラシ毛先端の線速を２０１．３ｍｍ／ｓとしたこと以外は実施例１と同様とし、実施例１と同様の評価を行った。評価結果を表１に示す。【００７４】
（実施例４）
実施例１において、植毛用穴の軸方向のピッチを３ｍｍとし、ブラシ毛の自由長を２０ｍｍとしたこと以外は、実施例１と同様にして、ブラシローラを得た。【００７５】
洗浄方法は実施例１と同様とし、実施例１と同様の評価を行った。結果を表１に示す。【００７６】
（比較例１）
実施例１において、植毛用穴の軸方向のピッチを３ｍｍとし、ブラシ毛の自由長を２０ｍｍとしたこと以外は、実施例１と同様にして、ブラシローラを得た。【００７７】
洗浄方法は、実施例１において、ブラシ毛先端の線速を６０．４ｍｍ／ｓとしたこと以外は実施例１と同様とし、実施例１と同様の評価を行った。結果を表１に示す。【００７８】
（比較例２）
実施例１において、植毛用穴の軸方向のピッチを３ｍｍとし、ブラシ毛の自由長を２０ｍｍとしたこと以外は、実施例１と同様にして、ブラシローラを得た。【００７９】
洗浄方法は、実施例１において、ブラシ毛先端の線速を３０２．０ｍｍ／ｓとしたこと以外は実施例１と同様とし、実施例１と同様の評価を行った。結果を表１に示す。【００８０】
【表１】
2012073906.tif 000003
【００８１】
＜評価＞
ブラシローラの構成及びブラシ毛先端の線速が本発明の範囲を共に満たす実施例１〜４では、インク滴の残りがなく、クリーニング性に優れることがわかる。【００８２】
一方、ブラシ毛先端の線速が、本発明の範囲（１２０．８ｍｍ／ｓ以上２０１．３ｍｍ／ｓ以下の範囲）に満たない比較例１、及び、本発明の範囲を超える比較例２では、無端ベルト表面にインク滴が残り、クリーニング性に劣ることがわかる。
【符号の説明】
【００８３】
１：画像記録装置
１０：制御部
１１：画像メモリ
１２：検出手段
２：ベルト搬送装置
２１：駆動ローラ
２２：従動ローラ
２３：無端ベルト
３：記録ヘッド
４：ベルトクリーニング装置
４０：散水パイプ
４１：ブラシローラ
４１０：液溜まり部
４１１：ブラシ軸
４１１ａ：ブラシ軸の円周面
４１１ｂ：植毛用穴
４１２：ブラシ毛
４２：清掃桶
Ｐ：記録媒体
【図１】
2012073906.tif 000004
【図２】
2012073906.tif 000005
【図３】
2012073906.tif 000006
【国際調査報告】
2012073906.tif 000007
2012073906.tif 000008
2012073906.tif 000009
2012073906.tif 000010